(57)【特許請求の範囲】
【請求項１】
熱変色性インキを用いて被筆記面上に形成した熱変色性の像または筆跡を摩擦し、その際に生じる摩擦熱で前記熱変色性の像または筆跡を熱変色可能な摩擦体であって、被筆記面上の熱変色性の像または筆跡を摩擦する際、側面に、該側面から該側面の反対側を透視可能な透視部を備えたことを特徴とする摩擦体。
【請求項２】
前記透視部が透明または半透明の材料からなる請求項１記載の摩擦体。
【請求項３】
前記透視部の頂部外面に弾性材料からなる摩擦部を設けた請求項２記載の摩擦体。
【請求項４】
前記透視部が両側面に平面部を備えた板形状である請求項２または３の何れかに記載の摩擦体。
【請求項５】
内部に熱変色性インキを収容し、一端に前記熱変色性インキが吐出可能なペン先を備え、外面に前記熱変色性インキを用いて被筆記面上に形成した熱変色性の筆跡を摩擦し、その際に生じる摩擦熱で該筆跡を熱変色可能な摩擦体を備えた熱変色性筆記具であって、前記摩擦体が前記請求項１乃至４の何れかであることを特徴とする熱変色性筆記具。
【発明の詳細な説明】
【技術分野】
【０００１】
本発明は、摩擦体及び熱変色性筆記具に関する。
【背景技術】
【０００２】
従来、特許文献１には、熱変色性インキを用いて紙面上に形成した熱変色性の筆跡または像を摩擦し、その際に生じる摩擦熱で前記熱変色性の筆跡または像を熱変色させる摩擦体が記載されている。また、特許文献１には、内部に熱変色性インキを収容し且つ外面に前記摩擦体を備えた熱変色性筆記具が記載されている。
【０００３】
前記特許文献１の摩擦体は、摩擦体を用いて熱変色性の筆跡または像を熱変色させる際、摩擦体の視認側から反対側を視認できず、必要以上に熱変色性の筆跡または像を熱変色させがちである。即ち、前記特許文献１の摩擦体は、熱変色性の筆跡または像の熱変色させたい部分だけ、確実に熱変色させることが困難である。
【先行技術文献】
【特許文献】
【０００４】
【特許文献１】特開２００９−６６７８０号公報
【発明の概要】
【発明が解決しようとする課題】
【０００５】
本発明は、前記従来の問題点を解決するものであって、熱変色性の筆跡または像の熱変色させたい部分だけ確実に熱変色させることができる摩擦体、及びそれを備えた熱変色性筆記具を提供しようとするものである。
【課題を解決するための手段】
【０００６】
本願の第１の発明は、熱変色性インキを用いて被筆記面上に形成した熱変色性の像または筆跡を摩擦し、その際に生じる摩擦熱で前記熱変色性の像または筆跡を熱変色可能な摩擦体であって、被筆記面上の熱変色性の像または筆跡を摩擦する際、側面に、該側面から該側面の反対側を透視可能な透視部２２を備えたことを要件とする。
【０００７】
前記第１の発明の摩擦体１は、被筆記面上の熱変色性の像または筆跡を摩擦する際、摩擦体１の側面に、該側面から該側面の反対側を透視可能な透視部２２を備えたことにより、熱変色性の筆跡または像の熱変色させたい部分だけ確実に熱変色させることができる。尚、前記透視部２２とは、摩擦体１の側面から該側面の反対側を透視可能であればよく、例えば、貫通孔からなる構成、または、透明もしくは半透明の材料からなる構成が挙げられる。
【０００８】
本願の第２の発明は、前記第１の発明の摩擦体１において、前記透視部２２が透明または半透明の材料からなることを要件とする。
【０００９】
前記第２の発明の摩擦体１は、前記透視部２２が透明または半透明の材料からなることにより、透視部２２を貫通孔により構成する場合に比べ、摩擦時の摩擦体１のぐらつきを防止できる。前記透明または半透明の材料とは、透明または半透明の合成樹脂、透明または半透明のゴムまたはエラストマー等が挙げられる。
【００１０】
本願の第３の発明は、前記第１の発明の摩擦体１において、前記透視部２２（透明または半透明の材料からなる透視部２２）の頂部外面に弾性材料からなる摩擦部３２を設けたことを要件とする。
【００１１】
前記第３の発明の摩擦体１は、前記透視部２２（透明または半透明の材料からなる透視部２２）の頂部外面に弾性材料からなる摩擦部３２を設けたことにより、適正な透視機能を有する透視部２２と、適正な摩擦機能を有する摩擦部３２とを確実に得ることができる。
【００１２】
【００１３】
【００１４】
本願の第４の発明は、前記第２または第３の発明の摩擦体１において、前記透視部２２が両側面に平面部を備えた板形状であることを要件とする。
【００１５】
前記第４の発明の摩擦体１は、前記透視部２２が、両側面に平面部を備えた板形状であることにより、透視部２２を通して、摩擦体１の反対側を容易に視認することができる。
【００１６】
本願の第５の発明は、内部に熱変色性インキを収容し、一端に前記熱変色性インキが吐出可能なペン先６を備え、外面に前記熱変色性インキを用いて被筆記面上に形成した熱変色性の筆跡を摩擦し、その際に生じる摩擦熱で該筆跡を熱変色可能な摩擦体１を備えた熱変色性筆記具であって、前記摩擦体１が前記請求項１乃至４の何れかであることを要件とする。
【００１７】
前記第５の発明の熱変色性筆記具４は、前記第１の発明乃至第４の発明の何れかの摩擦体１を備えたことにより、熱変色性の筆跡または像を、熱変色させたい部分だけ確実に熱変色させることができる。
【００１８】
尚、本発明で、前記摩擦部３２を構成する弾性材料は、弾性を有する合成樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、オレフィン系樹脂、エチレンプロピレンジエンゴム（ＥＰＤＭ）等が挙げられる。
【００１９】
前記弾性材料は、高摩耗性の弾性材料（例えば、消しゴム等）からなるものよりも、摩擦時に摩耗屑が殆ど生じない低摩耗性の弾性材料からなることが好ましい。
【００２０】
尚、本発明で、前記熱変色性インキは、可逆熱変色性インキが好ましい。前記可逆熱変色性インキは、発色状態から加熱により消色する加熱消色型、発色状態又は消色状態を互変的に特定温度域で記憶保持する色彩記憶保持型、又は、消色状態から加熱により発色し、発色状態からの冷却により消色状態に復する加熱発色型等、種々のタイプを単独又は併用して構成することができる。
【００２１】
本発明では、図８に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、又は完全消色温度（ｔ４）以上の高温域での消色状態が、特定温度域〔ｔ２〜ｔ３の間の温度域（実質的二相保持温度域）〕で記憶保持できる色彩記憶保持型の熱変色性インキが適用されることが好ましい。図８において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００２２】
前記実質的二相保持温度域は、目的に応じて設定できるが、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができると共に、可逆熱変色性インキによる筆跡を摩擦体１による摩擦熱で容易に変色することができる。
【発明の効果】
【００２３】
本発明の摩擦体は、熱変色性の筆跡または像の熱変色させたい部分だけ確実に熱変色させることができる。
【００２４】
本発明の熱変色性筆記具は、熱変色性の筆跡または像の熱変色させたい部分だけ確実に熱変色させることができる。
【図面の簡単な説明】
【００２５】
【図１】本発明の摩擦体を備えた熱変色性筆記具の実施の形態の一部切り欠き縦断面図である。
【図２】図１の要部拡大縦断面図である。但し、摩擦体は正面図である。
【図３】図２のＡ−Ａ線断面図である。
【図４】図２のＢ−Ｂ線断面図である。
【図５】本発明の摩擦体の実施の形態を示す正面図である。
【図６】図５のＣ−Ｃ線断面図である。
【図７】図５のＤ−Ｄ線断面図である。
【図８】熱変色性インキの変色挙動を示す説明図である。
【発明を実施するための形態】
【００２６】
本発明の摩擦体１及び熱変色性筆記具４の実施の形態を図１乃至図７に示す。
【００２７】
前記熱変色性筆記具４は、内部に熱変色性インキが収容された軸筒５と、該軸筒５の一端部に取り付けられ且つ該軸筒５内の熱変色性インキが吐出可能なペン先６（例えば、ボールペン、マーキングペン、サインペン等のペン先）と、前記軸筒５の他端部に取り付けられた摩擦体１とからなる。
【００２８】
前記摩擦体１は、透明または半透明の合成樹脂（例えばポリカーボネイト樹脂）からなる内部材２と、該内部材２の外周面を覆うように固着される、弾性材料（例えばＳＥＢＳ樹脂、ＳＢＳ樹脂、シリコーン樹脂等）からなる外部材３とからなる。前記内部材２と前記外部材３とは、２色成形により一体に固着される。
【００２９】
前記内部材２は、円柱状の芯部２１と、平板状（両側面に平面部を備えた板形状）の透視部２２とからなる。前記外部材３は、前記円柱状の芯部２１を同心状に覆う円筒状の取付部３１と、前記平板状の透視部２２を枠状に包囲する摩擦部３２とからなる。即ち、前記透視部２２は、透明または半透明の合成樹脂（例えばポリカーボネイト樹脂）から構成され、前記摩擦部３２は、弾性材料により構成される。
【００３０】
前記摩擦体１の摩擦部３２及び透視部２２は、軸筒５の反ペン先側端部より外部に突出し、前記摩擦体１の取付部３１は、軸筒５の反ペン先側端部の取付孔５１に取り付けられる。
【００３１】
前記取付部３１の外面には、外向突起３１ａが形成される。前記軸筒５の反ペン先側端部には、取付孔５１が形成される。取付孔５１の内面に内向突起５１ａが設けられる。前記摩擦体１の取付部３１を、前記軸筒５の取付孔５１に挿入し、前記取付部３１外面の外向突起３１ａと前記取付孔５１の内面の内向突起５１ａとを乗り越え係合させる。それにより、摩擦体１が軸筒５の反ペン先側端部に取り付けられる。
【００３２】
本実施の形態の摩擦体１及び本実施の熱変色性筆記具４は、被筆記面上の熱変色性の像または筆跡を摩擦する際、摩擦体１の側面に、該側面から該側面の反対側を透視可能な透視部２２を備えたことにより、熱変色性の筆跡または像の熱変色させたい部分だけ確実に熱変色させることができる。
【００３３】
本実施の形態の摩擦体１及び熱変色性筆記具４は、前記透視部２２が透明または半透明の材料からなることにより、透視部２２を貫通孔により構成する場合に比べ、摩擦時の摩擦体１のぐらつきを防止できる。
【００３４】
本実施の形態の摩擦体１及び熱変色性筆記具４は、前記透視部２２（透明または半透明の材料からなる透視部２２）の頂部外面に弾性材料からなる摩擦部３２を設けたことによって、適正な透視機能を有する透視部２２と、適正な摩擦機能を有する摩擦部３２とを確実に得ることができる。また、本実施の形態の摩擦体１及び熱変色性筆記具４は、平板状の透視部２２を弾性材料よりなる摩擦部３２が枠状に包囲する構成のため、摩擦部３２と透視部２２との固着を強固にでき、且つ、透視部２２の周囲を保護することが可能である。
【００３５】
本実施の形態の摩擦体１及び熱変色性筆記具４は、前記透視部２２と前記摩擦部３２とが２色成形により固着されることにより、透視部２２と摩擦部３２とが強固に固着される。
【００３６】
本実施の形態の摩擦体１及び熱変色性筆記具４は、透視部２２が、両側面に平面部を備えた板形状であることにより、透視部２２を通して、摩擦体１の反対側を容易に視認することができる。
【符号の説明】
【００３７】
１  摩擦体
２  内部材
２１  芯部
２２  透視部
３  外部材
３１  取付部
３１ａ  外向突起
３２  摩擦部
４  熱変色性筆記具
５  軸筒
５１  取付孔
５１ａ  内向突起
６  ペン先
【図１】
0005932292.tif 000002
【図２】
0005932292.tif 000003
【図３】
0005932292.tif 000004
【図４】
0005932292.tif 000005
【図５】
0005932292.tif 000006
【図６】
0005932292.tif 000007
【図７】
0005932292.tif 000008
【図８】
0005932292.tif 000009